(57)【特許請求の範囲】
【請求項１】
セグメント電極を含む第１の基板と、コモン電極を含む第２の基板との間に、電子インクが封入され、前記セグメント電極に印加する電圧と前記コモン電極に印加する電圧との間の電位極性に応じて、白表示と黒表示とを行う電気泳動型の表示装置の駆動回路であって、
前記駆動回路は、前記セグメント電極に印加される電圧値が、Ｖ、０、−Ｖ、又は２Ｖ、Ｖ、０の３値であり、前記コモン電極に印加される電圧値が、０、又はＶの１値である３値駆動回路として動作する場合と、
前記セグメント電極に印加される電圧値が、Ｖ、０の２値であり、前記コモン電極に印加される電圧値が、０、Ｖの２値である２値駆動回路として動作する場合とに切り替わり、前記３値駆動回路として動作する場合では、
前記白表示又は黒表示が変化しないとき、前記コモン電極に印加される電圧値が０ならば、前記セグメント電極に印加される電圧値も０であり、前記コモン電極に印加される電圧値がＶならば、前記セグメント電極に印加される電圧値もＶであり、
前記黒表示に変化するとき、前記コモン電極に印加される電圧値が０ならば、前記セグメント電極に印加される電圧値はＶであり、前記コモン電極に印加される電圧値がＶならば、前記セグメント電極に印加される電圧値は２Ｖであり、
前記白表示に変化するとき、前記コモン電極に印加される電圧値が０ならば、前記セグメント電極に印加される電圧値は−Ｖであり、前記コモン電極に印加される電圧値がＶならば、前記セグメント電極に印加される電圧値は０であり、
前記２値駆動回路として動作する場合では、
前記白表示又は黒表示が変化しないとき、前記コモン電極と前記セグメント電極とに印加される電圧値は同電圧値であり、
前記黒表示に変化するとき、前記コモン電極に印加される電圧値が０ならば、前記セグメント電極に印加される電圧値はＶであり、
前記白表示に変化するとき、前記コモン電極に印加される電圧値がＶならば、前記セグメント電極に印加される電圧値は０であることを特徴とする駆動回路。
【請求項２】
請求項１に記載の駆動回路で駆動される表示装置。
【発明の詳細な説明】
【技術分野】
【０００１】
本発明は、電気泳動型の表示装置とそれを駆動するための駆動回路に関するものである。
【背景技術】
【０００２】
視認性が高く、書き換え可能で、電源供給を断っても表示を維持するメモリー性があり、低消費電力といった優れた特徴を有する電気泳動型の表示装置が広く知られている。例えば、この電気泳動型の表示装置を用いた電子ペーパーディスプレイの開発が進んでいる。このような表示装置に使用される表示パネルおよびその駆動回路（駆動電圧発生装置）としては、例えば特許文献１に開示されているものなどがある。
【０００３】
上記特許文献１に記載の表示パネルは、透明フィルムに透明電極を形成したフィルム上にマイクロカプセル型電子インクをコーティングした「前面板」と、電極回路を形成した「背面板」とから構成されるが、これを一般の表示パネルとして構成する場合は、前面板の透明電極はパネル全面に敷き詰め、背面板の電極は表示パターンに応じた複数のドットあるいはセグメントに対応して複数個形成されている。以後の説明において、前面板の透明電極を「コモン電極」とよび、背面板の複数の電極を「セグメント電極」と呼ぶことにする。
【０００４】
このような表示パネルに所望のパターンを表示させようとする場合、白表示から黒表示へ変化させたいセグメント電極へは、それぞれコモン電極に印加される電位に対して、正の電圧を印加し、黒表示から白表示へ変化させたいセグメント電極へは、それぞれコモン電極に印加される電位に対して、負の電圧を印加し、変化させないセグメント電極には、コモン電極に印加される電位と等電位としていた。
【０００５】
第１の従来例として、上記のようなコモン電極、セグメント電極へ電圧を印加するための駆動回路として、駆動回路出力が−Ｖ、０ｖ、＋Ｖの３値をとることができるものがある。以降の説明において、この種の駆動を「３値駆動」と呼ぶこととする。この３値駆動においては、 コモン電極は常時０ｖとしておき、セグメント電極は、白表示から黒表示へ変化させたい場合は＋Ｖに、黒表示から白表示へ変化させたい場合は−Ｖに、変化させない場合は０ｖにする。
【０００６】
以下、第１の従来例として３値駆動を詳細に説明する。図９は表示装置である表示体の断面図を示す。表示体６０の上面には透明電極であるコモン電極６１があり、その下部には表示素子６２があり、さらにその下部にはＦＰＣ６４上に形成された導電体より成る複数のセグメント電極６３がある。前記表示素子６２は例えば特許文献１に記載のマイクロカプセル型電子インクである。なお、該表示体の構成要素には上記で述べた以外に、基材、保護フィルム、接着層等が使用される。
【０００７】
このような表示体６０において、コモン電極６１に対し正の電圧をセグメント電極６２へ印加した場合、コモン電極６１とセグメント電極６３に挟まれた表示素子６２部分は、上方から見て白表示から黒表示へ変化し、コモン電極６１に対し負の電圧をセグメント電極６３へ印加した場合、コモン電極と該セグメント電極に挟まれた表示素子部分は上方から見て黒表示から白表示へ変化する。またコモン電極６１とセグメント電極６３の電位が等しい場合は、これら電極に挟まれた表示素子６２部分は変化しない。
【０００８】
図１０は、このような表示体を用いて構成した表示パネルの一例である。表示パネル７
０は、セグメント０〜６より成るセブンセグメントキャラクタを１桁表す表示体で構成する。表示パネル７０の図中の各セグメントに付した０〜６の数字は、セグメント０〜６に対応している。また表示パネル７０のセグメント０〜６の周囲領域はセブンセグメントキャラクタの背景をあらわしている。
【０００９】
表示パネル７０は電極として1個のコモン電極ＣＯＭと８個のセグメント電極を有している。この８個のセグメント電極とは、セグメント０からセグメント６に対応するセグメント電極ＳＥＧ０からＳＥＧ６および背景に対応するセグメント電極ＢＧである。表示パネル７０の下部より出ている９本の線はそれぞれ、コモン電極および８個のセグメント電極に接続されたリード線であり、コモン電極に接続されたリード線はＣＯＭ、セグメント０に対応するセグメント電極のリード線はＳＥＧ０、セグメント１に対応するセグメント電極のリード線はＳＥＧ１、と順にそれぞれ対応する電極の名称を付してある。そして、それぞれのリード線は順に図示されていない外部の駆動回路へ接続する。
【００１０】
次に３値駆動で駆動される駆動方法について、図１１および図１２を用いて説明する。図１１は表示パネル７０の各電極に印加される電圧の波形図であり、図１２は表示パネル７０の表示状態がどのように変化するか、表示パネル７０の表示状態を示している。図１１の期間８０では、全ての電極に０ｖを印加するので、図１２に図示するように、表示パネル７０におけるセグメントの表示状態８５は変化せず、全セグメントは白表示であったとする。
【００１１】
次に図１１における期間８１では、電極ＣＯＭおよび電極ＢＧへの印加電圧は０ｖのまま、ＳＥＧ０からＳＥＧ６へ正の電圧Ｖを印加する。その結果、表示パネル７０のセグメント０〜６は白表示から黒表示へ変化し、図１２の表示状態８６へと変化する。
【００１２】
次に図１１における期間８２では、再び全ての電極に０ｖを印加するため、図１２に図示するように、セグメントの表示状態は変化せず、表示状態８６を保持する。引き続き、図１１における期間８３では、電極ＣＯＭおよび電極ＢＧへの印加電圧は０ｖのまま、ＳＥＧ０からＳＥＧ６へ負の電圧−Ｖを印加する。その結果、図１２に図示するように、表示パネル７０のセブンセグメントキャラクタのセグメント０〜６は黒表示から白表示へ変化し、図１２の表示状態８５へ戻る。さらに図１１における期間８４では、また全ての電極に０ｖを印加するため、図１２に図示するように、表示状態は変化せず、図１２の表示状態８５を保持する。
【００１３】
このように３値駆動では、セグメント電極に印加される電圧値は、−Ｖ、０、Ｖの３個の電圧値であり、コモン電極に印加される電圧値は、０ｖの１個の電圧値である。
【００１４】
また第２の従来例として、例えば既存の液晶用セグメントドライバ等を流用したもので、駆動出力が０ｖ、＋Ｖの２値のみ取りうるものがある。以降の説明において、この種の駆動を「２値駆動」と呼ぶこととする。上記２値駆動においては、セグメントを白表示から黒表示へ変化させたい場合はコモン電極を０ｖ、セグメント電極を＋Ｖとし、セグメントを黒表示から白表示へ変化させたい場合には、コモン電極を＋Ｖ、セグメント電極を０ｖとする。コモン電極は全てのセグメントに共通であるため、上記２つの動作を同時に行うことができないことは自明である。
【００１５】
第１の従来例のメリットは第２の従来例に比して、あるセグメントを白表示から黒表示へ、また他のセグメントを黒表示から白表示へ同時に変化させることができるため、表示変化に要する時間が短いことが挙げられる。また、デメリットとしては、電源電圧の種類が３種と多いこと、およびそれに付随して総合的な消費電力が増加することである。
【００１６】
第２の従来例のメリットは、第１の従来例に比して、電源電圧の種類が２種と少ないこと、およびそれに付随して総合的な消費電力が低減できることが挙げられる。また、デメリットは白表示から黒表示、および黒表示から白表示への変化が同時に行えないため表示変化に要する時間が長くなることである。
【００１７】
このように、従来では、アプリケーションの特性に適応するため、第１の従来例を実施するための駆動回路と、第２の実施例を駆動するための駆動回路との２種類の駆動回路を用意しておく必要があった。また、ひとつのアプリケーションの中でも場合によって、上記２種類の駆動回路を使い分けたいことがあってもできないと言う問題があった。
【００１８】
【特許文献１】特開２００５−１８０２１号公報（第１３頁、第９図）
【発明の開示】
【発明が解決しようとする課題】
【００１９】
本発明はこのような問題に鑑みなされたものであり、１種類の駆動回路で上記２種類の駆動ができるようにしたものであり、アプリケーションの特性に応じて使い分け、また１つのアプリケーションの中でも、必要に応じて駆動の種類を変更できるようにしたものである。
【課題を解決するための手段】
【００２０】
本発明の駆動回路は、セグメント電極を含む第１の基板と、コモン電極を含む第２の基板との間に、電子インクが封入され、セグメント電極に印加する電圧とコモン電極に印加する電圧との間の電位極性に応じて、白表示と黒表示とを行う電気泳動型の表示装置の駆動回路である。
【００２１】
そして、本発明の駆動回路は、セグメント電極に印加される電圧値が、Ｖ、０、−Ｖ、又は２Ｖ、Ｖ、０の３値であり、コモン電極に印加される電圧値が、０、又はＶの１値である３値駆動回路として動作する場合と、前記セグメント電極に印加される電圧値が、Ｖ、０の２値であり、前記コモン電極に印加される電圧値が、０、Ｖの２値である２値駆動回路として動作する場合とに切り替わる。
【００２２】
さらに、３値駆動回路として動作する場合では、白表示又は黒表示が変化しないとき、コモン電極に印加される電圧値が０ならば、セグメント電極に印加される電圧値も０であり、コモン電極に印加される電圧値がＶならば、セグメント電極に印加される電圧値もＶであり、黒表示に変化するとき、コモン電極に印加される電圧値が０ならば、セグメント電極に印加される電圧値はＶであり、コモン電極に印加される電圧値がＶならば、セグメント電極に印加される電圧値は２Ｖであり、白表示に変化するとき、コモン電極に印加される電圧値が０ならば、セグメント電極に印加される電圧値は−Ｖであり、コモン電極に印加される電圧値がＶならば、セグメント電極に印加される電圧値は０である。
【００２３】
また、２値駆動回路として動作する場合では、白表示又は黒表示が変化しないとき、コモン電極と前記セグメント電極とに印加される電圧値は同電圧値であり、黒表示に変化するとき、コモン電極に印加される電圧値が０ならば、セグメント電極に印加される電圧値はＶであり、白表示に変化するとき、コモン電極に印加される電圧値がＶならば、セグメント電極に印加される電圧値は０である。
【００２４】
また、本発明の表示装置は、このような駆動回路で駆動される表示装置である。
【発明の効果】
【００２７】
上述のように、本発明に係る駆動回路もしくは表示装置によると、１種類の駆動回路で、アプリケーションの特性に応じて適応する前述の２種類の駆動法を選択することが可能となる。すなわち高速性を重視するなら３値駆動を、低消費電力を重視するなら２値駆動を選択するとこが可能となる。また、ひとつのアプリケーションの中でも場合によって高速性を重視するケースであれば３値駆動を、低消費電力を重視するケースであれば２値駆動を選択することが可能となる。
【発明を実施するための最良の形態】
【００２８】
以下、本発明の実施形態について図を参照しながら説明する。まず、本発明に係わる駆動回路もしくは表示装置が、その適用の対象とする表示体と、該表示体への印加電圧とその表示状態の変化の関係について説明する。本発明では、図９で図示した従来の表示体の構成、あるいは図１０で図示した電極構成を採用することができる。
【実施例１】
【００２９】
図１に、本発明の第1の実施例に係わる駆動回路とそれに接続される表示パネルおよびそれらの接続を示す。図１において駆動回路１は８個のセグメントドライバ（２‐１）〜（２‐８）と１個のコモンドライバ３とから形成されている。表示パネル４は8個のセグメント電極（５‐１）〜（５‐８）と１個のコモン電極６を有す。表示パネル４は前述した図１０の表示パネル７０と同様の構成および外観を有し、図１のセグメント電極（５−１）〜（５−８）はそれぞれ図１０におけるＳＥＧ０〜６、ＢＧに対応し、図１のコモン電極６は図１０のＣＯＭに対応する。
【００３０】
以下の説明において、ｎは１〜８の数字を表す。８個のセグメントドライバ（２‐１）〜（２‐８）は各々、3個の入力端子（２‐ｎａ）、（２‐ｎｂ）および（２‐ｎｃ）と、３個の電子スイッチ（２‐ｎｄ）、（２‐ｎｅ）および（２‐ｎｆ）と１個の出力端子（２‐ｎｇ）を有する。ここで言う電子スイッチとは、例えばＭＯＳトランジスタのような電子的なスイッチング素子を指し、開閉される主信号に接続される端子Ｓ、Ｄと開閉制御信号に接続される端子Ｇの計3個の端子を有す。
【００３１】
セグメントドライバ（２‐ｎ）における電子スイッチ（２‐ｎｄ）の端子Ｓは、正の電圧Ｖに接続され、電子スイッチ（２‐ｎｅ）の端子Ｓは、０ｖに接続され、電子スイッチ（２‐ｎｆ）の端子Ｓは、負の電圧−Ｖに接続される。セグメントドライバ（２‐ｎ）の電子スイッチ（２‐ｎｄ）、（２‐ｎｅ）および（２‐ｎｆ）の端子Ｄはすべて出力端子（２‐ｎｇ）に接続される。
【００３２】
セグメントドライバ（２‐ｎ）の電子スイッチ（２‐ｎｄ）の端子Ｇは、入力端子（２‐ｎａ）に接続され、電子スイッチ（２‐ｎｅ）の端子Ｇは、入力端子（２‐ｎｂ）に接続
され、電子スイッチ（２‐ｎｆ）の端子Ｇは、入力端子（２‐ｎｃ）に接続される。セグメントドライバ（２‐ｎ）の出力端子（２‐ｎｇ）は表示パネル４のセグメント電極（５‐ｎ）に接続される。
【００３３】
セグメントドライバ（２‐ｎ）の入力端子（２‐ｎａ）にオン信号が加えられると、電子スイッチ（２‐ｎｄ）がオンし、出力端子（２‐ｎｇ）の電位がＶとなりその結果表示パネル４のセグメント電極（５‐ｎ）にＶが印加される。また、セグメントドライバ（２‐ｎ）の入力端子（２‐ｎｂ）にオン信号が加えられると、電子スイッチ（２‐ｎｅ）がオンし、出力端子（２‐ｎｇ）の電位が０ｖとなりその結果表示パネル４のセグメント電極（５‐ｎ）に０ｖが印加される。また、セグメントドライバ（２‐ｎ）の入力端子（２‐ｎｃ）にオン信号が加えられると、電子スイッチ（２‐ｎｆ）がオンし、出力端子（２‐ｎｇ）の電位が−Ｖとなりその結果表示パネル４のセグメント電極（５‐ｎ）に−Ｖが印加される。
【００３４】
なお、−Ｖ、０ｖおよびＶが相互に短絡しないようにセグメントドライバ（２‐ｎ）の入力端子（２‐ｎａ）、（２‐ｎｂ）および（２‐ｎｃ）に対してオン信号が加えられるのは、同時には１つだけとする。
【００３５】
コモンドライバ３の電子スイッチ３ｄの端子Ｓは正の電圧Ｖに接続され、電子スイッチ３ｅの端子Ｓは０ｖに接続される。コモンドライバ３の電子スイッチ３ｄと３ｅの端子Ｄはすべて出力端子３ｇに接続される。コモンドライバ３の電子スイッチ３ｄの端子Ｇは入力端子３ａに接続され、電子スイッチ３ｅの端子Ｇは入力端子３ｂに接続される。コモンドライバ３の出力端子３ｇは表示パネル４のコモン電極６に接続される
【００３６】
コモンドライバ３の入力端子３ａにオン信号が加えられると、電子スイッチ３ｄがオンし、出力端子３ｇの電位がＶとなり、その結果表示パネル４のコモン電極６にＶが印加される。コモンドライバ３の入力端子３ｂにオン信号が加えられると、電子スイッチ３ｅがオンし、出力端子３ｇの電位が０ｖとなりその結果表示パネル４のコモン電極６に０ｖが印加される。なお、０ｖとＶが短絡しないようにコモンドライバ３の入力端子３ａおよび３ｂに対してオン信号が加えられるのは同時には１つだけとする。
【００３７】
次に駆動回路１を３値駆動回路として動作させる場合について説明する。この場合、駆動回路１はコモンドライバ３の入力端子３ａを常時ＯＦＦとし、入力端子３ｂを常時ＯＮとしてその出力端子３ｇを常時０ｖとして用いる。またセグメントドライバ（２‐ｎ）は図示のとおり−Ｖ，０ｖ，Ｖの３個の電圧値を出力として用いる。
【００３８】
図２は駆動回路１を３値駆動回路として使用する場合の駆動波形図である。期間１０は表示パネル４の表示状態を変化させるための駆動期間であり、期間１１は変化後の表示期間である。波形１２はコモン電極６に印加される電圧波形であり、波形１３〜１６はセグメント電極（５‐１）〜（５‐８）のいずれかへ印加される電圧波形である。波形１３、１４、１５および１６はそれぞれ印加されるセグメントが、（１）白表示から白表示へ（実際には変化しない）、（２）白表示から黒表示へ、（３）黒表示から白表示へ、（４）黒表示から黒表示へ（実際には変化しない）、と表示状態を４つのパターンに変化させる時に印加する電圧波形である
【００３９】
図４は、駆動回路１を図２に図示したような３値駆動を行い、表示パネル４を表示状態３０（数字の２）から表示状態３１（数字の３）へ変化させる場合の説明図である。初期の表示状態３０では、セグメント０，１，３，４および６が黒であり、セグメント２，５および背景が白である。変化後の表示状態３１では、セグメント０，１，２，３および６が黒となり、セグメント４，５および背景が白となる。
【００４０】
図４に図示するように表示状態を変化させるには、コモン電極には図２における波形１２を印加し、セグメント５および背景は、白表示から白表示の変化とするので、図２における波形１３を印加し、セグメント２は白表示から黒表示の変化であるので、図２における波形１４を印加し、セグメント４は黒表示から白表示の変化であるので、図２における波形１５を印加し、セグメント０、１、３および６は黒表示から黒表示の変化であるので、図２における波形１６を印加する。
【００４１】
次に駆動回路１を２値駆動回路として動作させる場合について説明する。この場合、図１における駆動回路１はセグメントドライバ（２‐ｎ）の入力端子（２‐ｎｃ）を常時ＯＦＦとして、その出力端子（２‐ｎｇ）を０ｖ，Ｖの２個の出力値を用いる。この時電子スイッチ（２−ｎｆ）は常時ＯＦＦであるのでその端子Ｓへ−Ｖの供給は必要ない。つまり、駆動回路から出力される電圧値は＋Ｖ、０ｖ、−Ｖの３個と複数であるが、第１の可変手段である３個の電子スイッチ（２‐ｎｄ）、（２‐ｎｅ）および（２‐ｎｆ）を用いて、セグメント電極に印加される電圧値の数を３個から２個へ可変したのである。
【００４２】
またコモンドライバ３は０ｖ，Ｖの２値出力として用いる。つまり、第２の可変手段である２個の電子スイッチ３ｄと３ｅを用いて、コモン電極に印加される電圧値の数を前述した３値駆動の時の１個から２個へと可変した。
【００４３】
図３は、図１における駆動回路１を２値駆動回路として使用する場合の駆動波形図である。期間２０は図１における表示パネル４の表示状態を黒表示から白表示へ変化させるための駆動期間であり、期間２１は表示状態を白表示から黒表示へ変化させるための駆動期間変化後の表示期間であり、期間２２は変化後の表示期間である。
【００４４】
波形２３はコモン電極６に印加する電圧波形であり、波形２４ａ〜２７ａはセグメント電極５‐１〜５‐８のいずれかへ印加する電圧波形であり、波形２４ｂ〜２７ｂはそれぞれ波形２４ａ〜２７ａの電位をコモン電位から見た相対電圧波形である。コモン電極６とセグメント電極（５‐１）〜（５‐８）のいずれかの間に実際に印加される相対電圧は波形２４ｂ〜２７ｂとなる。
【００４５】
図３における波形２４，２５，２６および２７は、それぞれ印加されるセグメントが、（１）白表示から白表示へ（実際には変化しない）、（２）白表示から黒表示へ、（３）黒表示から白表示へ、（４）黒表示から黒表示へ、とそれぞれ変化させる時に印加する電圧波形である。黒表示から黒表示へ変化させる波形２７は、図２における波形１６と異なり、セグメントを黒表示からいったん白表示へ変化させ、その後黒表示へ戻す。この理由については後述する
【００４６】
ここで図２の３値駆動と、図３の２値駆動の差異について説明する。図２の３値駆動では期間１０で、（白表示から黒表示）および（黒表示から白表示）の変化を同時に発生させることができるのに対し、図３の２値駆動では（黒表示から白表意）の変化は期間２０でしか発生できず、また（白表示から黒表示）の変化は期間２１でしか発生できない。つまり、図３の２値駆動では、（白表示から黒表示）および（黒表示から白表示）の変化を同時に発生させることができない。
【００４７】
これは以下の理由による。すなわち、３値駆動では各セグメント電圧の電位はコモン電圧の電位に対し、−Ｖ，０ｖ，Ｖの３値をとることができるため、コモン電圧の電位に対して、あるセグメントには正の電圧を印加し、また他のセグメントに対しては負の電圧を印加することが同時に行える。これに対し２値駆動ではセグメント電圧は０ｖ，Ｖの２値しかとることができないため、コモン電圧の電位に対しセグメント電圧の電位を正にする
ためには、コモン電位を０ｖとし、セグメント電位をＶとし、またコモン電位に対しセグメント電位を負にするためには、コモン電位をＶとし、セグメント電位を０ｖとしなければならない。従ってこれらを同時に発生させることはできない。
【００４８】
図５は駆動回路１を２値駆動して、表示パネル４を表示状態３２（数字の２）から表示状態３４（数字の３）へ変化させる場合の説明図である。図５における表示状態３２では、セグメント０，１，３，４および６が黒であり、セグメント２，５および背景が白である。最終の表示状態３４では、セグメント０，１，２，３および６が黒となり、セグメント４，５および背景が白となる。
【００４９】
このような表示状態を実施する場合には、コモン電極には、図３における波形２３が印加され、セグメント５および背景には、白表示から白表示の変化であるので波形２４が印加され、セグメント２は白から黒の変化であるので波形２５が印加され、セグメント４は黒から白の変化であるので波形２６が印加され、セグメント０、１、３および６は黒から黒の変化であるので波形２７が印加される。
【００５０】
図５に図示するように、表示状態３２から表示状態３４へ変化する過程で、背景を含めた全てのセグメントがいったん白となる第２の表示状態３３が出現するが、この現象は図３に示す２値駆動の駆動波形に因る。以下この理由を説明する。図３における期間２０においては、前述したように（黒表示から白表示）へ変化させる駆動しかできないため、（白表示から白表示）および（白表示から黒表示）の変化をするセグメント２、５および背景は変化せず、（黒表示から白表示）および（黒表示から黒表示）の変化をするセグメント０，１，３、４および６のみが黒表示から白表示へ変化する。この結果背景を含めた全てのセグメントが、図５における表示状態３３のように、いったん白表示を実行することとなる。
【００５１】
図３における期間２１においては、やはり前述したように（白表示から黒表示）へ変化させる駆動しかできないため、（白表示から白表示）および（黒表示から白表示）の変化をするセグメント４，５および背景は変化せず、（白表示から黒表示）および（黒表示から黒表示）の変化をするセグメント０，１，２，３および６は白表示から黒表示と変化する。この結果表示パネル４は図５における最終表示状態３４となる。
【００５２】
次に図３の駆動波形図の黒表示から黒表示へ変化させる波形２７の補足説明を行う。２値駆動の（黒から黒）へ変化させる図３の駆動波形２７は図２の波形１６と異なり、セグメントを黒表示からいったん白表示へ変化させ、その後黒表示へ戻す。図６は、もし図３における駆動波形２７を図２における３値駆動の波形１６と同様に、何の表示変化も引き起こさない波形とする。すなわち波形２７ｂが期間２０，２１において０ｖを保持した場合の表示パネル４の表示変化を表している。
【００５３】
図６において、初期表示状態３５と最終表示状態３７はそれぞれ図５の初期表示状態３２と最終表示状態３４と同じになるが、図６における表示状態３５から表示状態３７へ変化する過程で現れる第２の表示状態３６において、図６に図示されるように意図しない表示状態となってしまう。これは黒から黒へ変化するセグメント０，１，３および６が何の変化もせず黒の状態を継続することによる。
【００５４】
図３における駆動波形２７はこのような意図しない表示状態が出現するのを防止するため、セグメントが（黒表示から黒表示）の変化の場合、いったん白表示にして、その後黒表示にする駆動波形とする。
【実施例２】
【００５５】
図７に、本発明の第２の実施例に係わる駆動回路とそれに接続される表示パネルおよびそれらの接続を表す。図７において駆動回路４１は8個のセグメントドライバ（４２−１）〜（４２−８）と１個のコモンドライバ４３とから成り、表示パネル４は第１の実施例の図１におけるものと同じものであり、8個のセグメント電極（５‐１）〜（５‐８）と１個のコモン電極６を有す。
【００５６】
８個のセグメントドライバ（４２−１）〜（４２−８）は各々、3個の入力端子（４２−ｎａ）、（４２−ｎｂ）および（４２−ｎｃ）と第１の可変手段である３個の電子スイッチ（４２−ｎｄ），（４２−ｎｅ）および（４２−ｎｆ）と１個の出力端子（４２−ｎｇ）を有する。セグメントドライバ（４２−ｎ）の電子スイッチ（４２−ｎｄ）の端子Ｓは正の電圧２Ｖに接続され、電子スイッチ（４２−ｎｅ）の端子ＳはＶに接続され、電子スイッチ（４２−ｎｆ）の端子Ｓは負の電圧０ｖに接続される。セグメントドライバ（４２−ｎ）の電子スイッチ（４２−ｎｄ）、（４２−ｎｅ）および（４２−ｎｆ）の端子Ｄはすべて出力端子（４２−ｎｇ）に接続される。
【００５７】
セグメントドライバ（４２−ｎ）の電子スイッチ（４２−ｎｄ）の端子Ｇは入力端子（４２−ｎａ）に接続され、電子スイッチ（４２−ｎｅ）の端子Ｇは入力端子（４２−ｎｂ）に接続され、電子スイッチ（４２−ｎｆ）の端子Ｇは入力端子（４２−ｎｃ）に接続される。セグメントドライバ（４２−ｎ）の出力端子（４２−ｎｇ）は表示パネル４のセグメント電極（５‐ｎ）に接続される。
【００５８】
セグメントドライバ（４２−ｎ）の入力端子（４２−ｎａ）にオン信号が加えられると、電子スイッチ（４２−ｎｄ）がオンし、出力端子（４２−ｎｇ）の電位が２Ｖとなりその結果表示パネル４のセグメント電極（５‐ｎ）に２Ｖが印加される。セグメントドライバ（４２−ｎ）の入力端子（４２−ｎｂ）にオン信号が加えられると、電子スイッチ（４２−ｎｅ）がオンし、出力端子（４２−ｎｇ）の電位がＶとなりその結果表示パネル４のセグメント電極（５‐ｎ）にＶが印加される。セグメントドライバ（４２−ｎ）の入力端子（４２−ｎｃ）にオン信号が加えられると、電子スイッチ（４２−ｎｆ）がオンし、出力端子（４２−ｎｇ）の電位が０ｖとなりその結果表示パネル４のセグメント電極（５‐ｎ）に０ｖが印加される。なお、０ｖ，Ｖおよび２Ｖが相互に短絡しないようにセグメントドライバ（４２−ｎ）の入力端子（４２−ｎａ）、（４２−ｎｂ）および（４２−ｎｃ）に対してオン信号が加えられるのは同時には１つだけとする。
【００５９】
コモンドライバ４３の電子スイッチ４３ｄの端子Ｓは正の電圧Ｖに接続され、電子スイッチ４３ｅの端子Ｓは０ｖに接続される。コモンドライバ４３の電子スイッチ４３ｄと４３ｅの端子Ｄはすべて出力端子４３ｇに接続される。コモンドライバ４３の電子スイッチ４３ｄの端子Ｇは入力端子４３ａに接続され、電子スイッチ４３ｅの端子Ｇは入力端子４３ｂに接続される。コモンドライバ４３の出力端子４３ｇは表示パネル４のコモン電極６に接続される。
【００６０】
コモンドライバ４３の入力端子４３ａにオン信号が加えられると、電子スイッチ４３ｄがオンし、出力端子４３ｇの電位がＶとなりその結果表示パネル４のコモン電極６にＶが印加される。コモンドライバ４３の入力端子４３ｂにオン信号が加えられると、電子スイッチ４３ｅがオンし、出力端子４３ｇの電位が０ｖとなりその結果表示パネル４のコモン電極６に０ｖが印加される。なお、０ｖとＶが短絡しないようにコモンドライバ４３の入力端子４３ａおよび４３ｂに対してオン信号が加えられるのは同時には１つだけとする。
【００６１】
次に、駆動回路４１を３値駆動回路として動作させる場合について説明する。この場合、駆動回路４１はコモンドライバ４３の入力端子４３ａを常時ＯＮとし、入力端子４３ｂ
を常時ＯＦＦとしてその出力端子４３ｇを常時Ｖとして用いる。またセグメントドライバ（４２‐ｎ）は０ｖ，Ｖ，２Ｖの３値出力として用いる。
【００６２】
図８は、駆動回路４１を３値駆動回路として使用する場合の駆動波形図である。期間５０は表示パネル４の表示状態を変化させるための駆動期間であり、期間５１は変化後の表示期間である。波形５２はコモン電極６に印加される電圧波形であり、波形５３〜５６はセグメント電極（５‐１）〜（５‐８）のいずれかへ印加される電圧波形である。波形５３、５４，５５および５６はそれぞれ印加されるセグメントが白表示から白表示へ（実際には変化しない）、白表示から黒表示へ、黒表示から白表示へ、黒表示から黒表示（実際には変化しない）へ変化させる時に印加する電圧波形である。
【００６３】
図４を用いて駆動回路４１を３値駆動し、図８で図示した駆動波形によって表示パネル４を表示状態３０（数字の２）から表示状態３１（数字の３）へ変化させる場合の説明を行う。初期の表示状態３０では、セグメント０，１，３，４および６が黒であり、セグメント２，５および背景が白である。変化後の表示状態３１では、セグメント０，１，２，３および６が黒となり、セグメント４，５および背景が白となる。
【００６４】
上記表示状態の変化に際して、コモンには波形５２を印加し、セグメント５および背景は白から白の変化であるので波形５３を印加し、セグメント２は白から黒の変化であるので波形５４を印加し、セグメント４は黒から白の変化であるので波形５５を印加し、セグメント０、１、３および６は黒から黒の変化であるので波形５６を印加する。
【００６５】
次に、駆動回路４１を２値駆動回路として動作させる場合について説明する。この場合、駆動回路４１はセグメントドライバ（４２‐ｎ）の入力端子（４２‐ｎａ）を常時ＯＦＦとしてその出力端子（４２‐ｎｇ）を０ｖ，Ｖの２値出力として用いる。またコモンドライバ３は０ｖ，Ｖの２値出力として用いる。この時電子スイッチ（４２−ｎｄ）は常時ＯＦＦであるのでその端子Ｓへ２Ｖの供給は必要ない。
【００６６】
駆動回路４１を２値駆動回路として表示パネル４を駆動させた場合の駆動波形図および表示パネル４の表示状態の変化は、それぞれ図３および図５のごとくなる。なお、図３のセグメントを黒から黒へ変化させる波形２７が図８の波形５６と異なる理由に関しては、第１の実施例の場合と同様である。
【００６７】
このように、セグメント電圧を２値駆動、３値駆動のどちらでも、容易に可変することができる。よって、アプリケーションに応じて自動的に切り替える機構、あるいは操作者が容易に切り替えることができる機構を備えておけば、１種類の駆動回路で、高速性を重視するなら３値駆動を、低消費電力を重視するなら２値駆動を実施することがかのうである。
【図面の簡単な説明】
【００６８】
【図１】本発明の第１の実施例に係る駆動回路および表示パネルとの接続図。
【図２】本発明の第１の実施例に係る３値駆動の駆動波形図。
【図３】本発明の第１および第２の実施例に係る２値駆動の駆動波形図。
【図４】本発明における３値駆動の表示パネル表示状態遷移図。
【図５】本発明における２値駆動の表示パネル表示状態遷移図。
【図６】本発明に係わる好ましくない２値駆動の表示パネル表示状態遷移図。
【図７】本発明の第２の実施例に係る駆動回路および表示パネルの接続図。
【図８】本発明の第２の実施例に係る３値駆動の駆動波形図。
【図９】本発明の表示体の断面図。
【図１０】図９に示す表示体を用いて構成した表示パネル図。
【図１１】本発明に係る駆動回路の駆動波形図。
【図１２】本発明の表示パネルの表示状態遷移図。
【符号の説明】
【００６９】
１・・・駆動回路
２−１、２−２，２−３，２−４，２−５，２−５，２−６，２−７，２−８・・・セグメントドライバ
３・・・コモンドライバ
４・・・表示パネル
５−１，５−２，５−３，５−４，５−５，５−６，５−７，５−８・・・セグメント電極
６・・・コモン電極
４１・・・駆動回路
４２−１、４２−２，４２−３，４２−４，４２−５，４２−５，４２−６，４２−７，４２−８・・・セグメントドライバ
４３・・・コモンドライバ
６０・・・表示体
６１・・・コモン電極
６２・・・表示素子
６３・・・セグメント電極
６４・・・ＦＰＣ
７０・・・表示パネル
【図１】
0005118293.tif 000002
【図２】
0005118293.tif 000003
【図３】
0005118293.tif 000004
【図４】
0005118293.tif 000005
【図５】
0005118293.tif 000006
【図６】
0005118293.tif 000007
【図７】
0005118293.tif 000008
【図８】
0005118293.tif 000009
【図９】
0005118293.tif 000010
【図１０】
0005118293.tif 000011
【図１１】
0005118293.tif 000012
【図１２】
0005118293.tif 000013